(57)【要約】【課題】互いに操作方法が異なる第１及び第２の画像処理装置の操作を容易に短時間で正確に行うことができるようにする。【解決手段】第１の画像処理装置及び第２の画像処理装置と通信可能な携帯端末装置であって、操作手段を含む操作画面を表示する操作表示パネルと、該操作表示パネルを制御するパネル制御部と、前記第１の画像処理装置の操作表示パネルに表示される操作画面を構成するための情報であるパネル構成情報を保存する記録部と、前記第２の画像処理装置に対するコマンドを作成するコマンド作成部とを備え、前記パネル制御部は、前記パネル構成情報に基づいて、前記第２の画像処理装置を操作するための操作手段を含む操作画面を、前記第１の画像処理装置の操作表示パネルに表示される操作画面の表示形態と同様の表示形態で、前記操作表示パネルに表示させる。【選択図】図１
2017073713.tif 000002
【特許請求の範囲】
【請求項１】
第１の画像処理装置及び第２の画像処理装置と通信可能な携帯端末装置であって、
操作手段を含む操作画面を表示する操作表示パネルと、
該操作表示パネルを制御するパネル制御部と、
前記第１の画像処理装置の操作表示パネルに表示される操作画面を構成するための情報であるパネル構成情報を保存する記録部と、
前記第２の画像処理装置に対するコマンドを作成するコマンド作成部とを備え、
前記パネル制御部は、前記パネル構成情報に基づいて、前記第２の画像処理装置を操作するための操作手段を含む操作画面を、前記第１の画像処理装置の操作表示パネルに表示される操作画面の表示形態と同様の表示形態で、前記操作表示パネルに表示させることを特徴とする携帯端末装置。
【請求項２】
前記パネル構成情報は、前記第１の画像処理装置の装置情報とともに、あらかじめ前記第１の画像処理装置から受信され、前記記録部に保存される請求項１に記載の携帯端末装置。
【請求項３】
前記第２の画像処理装置を操作するための操作手段によって所定の動作を実行させる操作が行われると、前記コマンド作成部は、前記第２の画像処理装置の装置情報を取得するための装置情報取得コマンドを作成して前記第２の画像処理装置に送信させ、該第２の画像処理装置の装置情報を取得すると、該装置情報に応じて前記所定の動作を実行させるためのジョブ実行コマンドを作成して前記第２の画像処理装置に送信させ、該第２の画像処理装置に前記所定の動作を実行させる請求項２に記載の携帯端末装置。
【請求項４】
前記所定の動作には、ファクシミリの送信、電子メールの送信、印刷及びコピーが含まれる請求項３に記載の携帯端末装置。
【請求項５】
第１の画像処理装置と、第２の画像処理装置と、前記第１の画像処理装置及び第２の画像処理装置と通信可能な携帯端末装置とを備える画像処理システムであって、
前記第１の画像処理装置は、操作手段を含む操作画面を表示する操作表示パネルと、該操作表示パネルに表示される操作画面を構成するための情報であるパネル構成情報と前記第１の画像処理装置の装置情報とを含む装置構成ファイルを作成して前記携帯端末装置に送信させる装置構成ファイル作成部とを備え、
前記携帯端末装置は、操作手段を含む操作画面を表示する操作表示パネルと、該操作表示パネルを制御するパネル制御部と、前記第１の画像処理装置から受信した装置構成ファイルに含まれるパネル構成情報及び装置情報を保存する記録部と、前記第２の画像処理装置に対するコマンドを作成するコマンド作成部とを備え、
前記パネル制御部は、前記パネル構成情報に基づいて、前記第２の画像処理装置を操作するための操作手段を含む操作画面を、前記第１の画像処理装置の操作表示パネルに表示される操作画面の表示形態と同様の表示形態で、前記携帯端末装置の操作表示パネルに表示させ、前記第２の画像処理装置を操作するための操作手段によって所定の動作を実行させる操作が行われると、前記コマンド作成部は、前記所定の動作を実行させるためのジョブ実行コマンドを作成して前記第２の画像処理装置に送信させ、
該第２の画像処理装置は、前記携帯端末装置から受信したコマンドを解析するコマンド解析部を備え、該コマンド解析部が前記携帯端末装置から受信したジョブ実行コマンドを解析した結果に応じて、前記所定の動作を実行することを特徴とする画像処理システム。
【請求項６】
前記装置構成ファイルは、アドレス帳を含む請求項５に記載の画像処理システム。
【請求項７】
前記携帯端末装置は、前記第２の画像処理装置に対するコマンドの構成を選択するコマンド構成取得部を更に備える請求項５に記載の画像処理システム。
【請求項８】
前記パネル制御部は、前記装置構成ファイルが含むアドレス帳と前記記録部が保存するアドレス帳とを結合して前記操作表示パネルに表示させる請求項６に記載の画像処理システム。
【発明の詳細な説明】
【技術分野】
【０００１】
本発明は、携帯端末装置及び画像処理システムに関するものである。
【背景技術】
【０００２】
従来、複合機（ＭＦＰ：Ｍｕｌｔｉ  Ｆｕｎｃｔｉｏｎ  Ｐｅｒｉｐｈｅｒａｌ）等の画像処理装置は高機能化が進み、それに伴い画像処理装置の操作パネルの操作方法が複雑化しているので、利用者は、複雑な操作方法を習得する必要があり、利便性が却って低下していると感じてしまうことがある。
【０００３】
そこで、タブレット端末等の携帯端末装置の高機能化に着目し、画像処理装置と携帯端末装置とを連携させることによって、利用者にとっての利便性を向上させる技術が提案されている（例えば、特許文献１参照。）。
【先行技術文献】
【特許文献】
【０００４】
【特許文献１】特開２０１４−０４５４１８号公報
【発明の概要】
【発明が解決しようとする課題】
【０００５】
しかしながら、従来の画像処理装置においては、メーカーが異なれば勿論のこと、同じメーカーであっても機種が異なれば、各画像処理装置の操作パネルの操作方法が異なっているので、利用者は、画像処理装置毎に異なる複数種類の操作パネルの操作方法を習得する必要があるという問題があった。
【０００６】
本発明は、前記従来の問題点を解決して、携帯端末装置の操作表示パネルに第１の画像処理装置の操作表示パネルと同じ形態の操作表示パネルを表示して第２の画像処理装置の操作を行うことができるようにして、互いに操作方法が異なる第１及び第２の画像処理装置の操作を容易に短時間で正確に行うことができる携帯端末装置及び画像処理システムを提供することを目的とする。
【課題を解決するための手段】
【０００７】
そのために、本発明の携帯端末装置においては、第１の画像処理装置及び第２の画像処理装置と通信可能な携帯端末装置であって、操作手段を含む操作画面を表示する操作表示パネルと、該操作表示パネルを制御するパネル制御部と、前記第１の画像処理装置の操作表示パネルに表示される操作画面を構成するための情報であるパネル構成情報を保存する記録部と、前記第２の画像処理装置に対するコマンドを作成するコマンド作成部とを備え、前記パネル制御部は、前記パネル構成情報に基づいて、前記第２の画像処理装置を操作するための操作手段を含む操作画面を、前記第１の画像処理装置の操作表示パネルに表示される操作画面の表示形態と同様の表示形態で、前記操作表示パネルに表示させる。
【０００８】
本発明の画像処理システムにおいては、第１の画像処理装置と、第２の画像処理装置と、前記第１の画像処理装置及び第２の画像処理装置と通信可能な携帯端末装置とを備える画像処理システムであって、前記第１の画像処理装置は、操作手段を含む操作画面を表示する操作表示パネルと、該操作表示パネルに表示される操作画面を構成するための情報であるパネル構成情報と前記第１の画像処理装置の装置情報とを含む装置構成ファイルを作成して前記携帯端末装置に送信させる装置構成ファイル作成部とを備え、前記携帯端末装置は、操作手段を含む操作画面を表示する操作表示パネルと、該操作表示パネルを制御するパネル制御部と、前記第１の画像処理装置から受信した装置構成ファイルに含まれるパネル構成情報及び装置情報を保存する記録部と、前記第２の画像処理装置に対するコマンドを作成するコマンド作成部とを備え、前記パネル制御部は、前記パネル構成情報に基づいて、前記第２の画像処理装置を操作するための操作手段を含む操作画面を、前記第１の画像処理装置の操作表示パネルに表示される操作画面の表示形態と同様の表示形態で、前記携帯端末装置の操作表示パネルに表示させ、前記第２の画像処理装置を操作するための操作手段によって所定の動作を実行させる操作が行われると、前記コマンド作成部は、前記所定の動作を実行させるためのジョブ実行コマンドを作成して前記第２の画像処理装置に送信させ、該第２の画像処理装置は、前記携帯端末装置から受信したコマンドを解析するコマンド解析部を備え、該コマンド解析部が前記携帯端末装置から受信したジョブ実行コマンドを解析した結果に応じて、前記所定の動作を実行する。
【発明の効果】
【０００９】
本発明によれば、携帯端末装置の操作表示パネルに第１の画像処理装置の操作表示パネルと同じ形態の操作表示パネルを表示して第２の画像処理装置の操作を行うことができるようになっている。これにより、互いに操作方法が異なる第１及び第２の画像処理装置の操作を容易に短時間で正確に行うことができる。
【図面の簡単な説明】
【００１０】
【図１】本発明の実施の形態における画像処理システムの構成を示す図である。
【図２】本発明の実施の形態における第１の画像処理装置の機能構成を示すブロック図である。
【図３】本発明の実施の形態における第１の画像処理装置のパネル部の構成を示す図である。
【図４】本発明の実施の形態における第１の画像処理装置のアドレス帳のデータ構成を示す図である。
【図５】本発明の実施の形態における第１の画像処理装置のパネル部の画面部に表示されるファクシミリ送信用画面を示す図である。
【図６】本発明の実施の形態における第１の画像処理装置のパネル部の画面部に表示される相手先選択画面を示す図である。
【図７】本発明の実施の形態における携帯端末装置の機能構成を示すブロック図である。
【図８】本発明の実施の形態における携帯端末装置のコマンド構成ファイル群のデータ構成を示す図である。
【図９】本発明の実施の形態における携帯端末装置のアドレス帳のデータ構成を示す図である。
【図１０】本発明の実施の形態における第２の画像処理装置の機能構成を示すブロック図である。
【図１１】本発明の実施の形態における第２の画像処理装置のパネル部の構成を示す図である。
【図１２】本発明の実施の形態における第２の画像処理装置のパネル部の画面部に表示されるファクシミリ送信用画面の表示例を示す図である。
【図１３】本発明の実施の形態における第１の画像処理装置の装置構成ファイルの例を示す図である。
【図１４】本発明の実施の形態における第１の画像処理装置の動作を示すフローチャートである。
【図１５】本発明の実施の形態における携帯端末装置の表示部に表示されたホーム画面の例を示す図である。
【図１６】本発明の実施の形態における携帯端末装置の表示部に表示されたファクシミリ送信用画面の例を示す図である。
【図１７】本発明の実施の形態における携帯端末装置の表示部に表示された相手先選択画面の例を示す図である。
【図１８】本発明の実施の形態における携帯端末装置の動作を示す第１のフローチャートである。
【図１９】本発明の実施の形態における携帯端末装置のコマンド作成部が作成するコマンド構成を示す図である。
【図２０】本発明の実施の形態における携帯端末装置の動作を示す第２のフローチャートである。
【図２１】本発明の実施の形態における第２の画像処理装置の動作を示すフローチャートである。
【発明を実施するための形態】
【００１１】
以下、本発明の実施の形態について図面を参照しながら詳細に説明する。
【００１２】
図１は本発明の実施の形態における画像処理システムの構成を示す図である。
【００１３】
図において、１０は、本実施の形態における画像処理システムが有する特定の画像処理装置（ＭＦＰ１）としての第１の画像処理装置である。該第１の画像処理装置１０は、ファクシミリ機、複写機等であってもよいし、いかなる種類のものであってもよいが、ここでは、プリンタ、ファクシミリ機、複写機等の各種の機能を併せ持つ複合機であるものとして説明する。そして、前記第１の画像処理装置１０は、原稿の画像を読み取る画像読取装置、インクジェット方式、感熱方式、熱転写方式、電子写真方式等によって印刷用紙等の媒体にカラー印刷又はモノクロ印刷を行う印刷装置、ＣＰＵ、ＭＰＵ等の演算装置、磁気ディスク、半導体メモリ等の記憶装置、通信を行う通信装置等を備え、ＬＡＮ（Ｌｏｃａｌ  Ａｒｅａ  Ｎｅｔｗｏｒｋ）、イントラネット等の図示されない通信回線網を介して、ファクシミリや電子メールの送受信が可能なインターネット、公衆通信回線網等に接続されている。
【００１４】
また、９０は、本実施の形態における画像処理システムが有する他の画像処理装置（ＭＦＰ３）としての第２の画像処理装置である。該第２の画像処理装置９０は、前記第１の画像処理装置１０と同様に、ファクシミリ機、複写機等であってもよいし、いかなる種類のものであってもよいが、ここでは、プリンタ、ファクシミリ機、複写機等の各種の機能を併せ持つ複合機であるものとして説明する。そして、前記第２の画像処理装置９０も、原稿の画像を読み取る画像読取装置、インクジェット方式、感熱方式、熱転写方式、電子写真方式等によって印刷用紙等の媒体にカラー印刷又はモノクロ印刷を行う印刷装置、ＣＰＵ、ＭＰＵ等の演算装置、磁気ディスク、半導体メモリ等の記憶装置、通信を行う通信装置等を備え、ＬＡＮ、イントラネット等の図示されない通信回線網を介して、ファクシミリや電子メールの送受信が可能なインターネット、公衆通信回線網等に接続されている。なお、図に示される例において、前記第２の画像処理装置９０は単数であるが、複数であってもよい。すなわち、前記第２の画像処理装置９０は２台以上であってもよい。
【００１５】
さらに、６０は、本実施の形態における画像処理システムが有する携帯端末装置（携帯端末）である。該携帯端末装置６０は、携帯電話機、タブレット端末、ラップトップコンピュータ等の携帯可能な端末装置であれば、いかなる種類のものであってもよいが、ここでは、スマートフォンであるものとして説明する。そして、前記携帯端末装置６０は、ＣＰＵ、ＭＰＵ等の演算装置、磁気ディスク、半導体メモリ等の記憶装置、通信を行う通信装置等を備え、ＮＦＣ（Ｎｅａｒ  Ｆｉｅｌｄ  Ｃｏｍｍｕｎｉｃａｔｉｏｎ）等の近距離無線通信によって、前記第１の画像処理装置１０及び第２の画像処理装置９０と通信可能である。
【００１６】
次に、前記第１の画像処理装置１０の構成について詳細に説明する。
【００１７】
図２は本発明の実施の形態における第１の画像処理装置の機能構成を示すブロック図、図３は本発明の実施の形態における第１の画像処理装置のパネル部の構成を示す図、図４は本発明の実施の形態における第１の画像処理装置のアドレス帳のデータ構成を示す図である。
【００１８】
第１の画像処理装置１０は、機能の観点から、図２に示されるように、画像読取装置としてのスキャナ部１１、スキャナ制御部１２、操作表示パネルとしてのパネル部１３、パネル制御部１４、ファックス制御部１５、ファックス送信部１６、記録部１７、装置構成ファイル作成部１８、近距離無線通信部２１及びコマンド解析部２２を有する。
【００１９】
前記スキャナ部１１は、原稿画像の読取機能を有し、図示されない原稿載置台、自動原稿送り装置（ＡＤＦ：Ａｕｔｏ  Ｄｏｃｕｍｅｎｔ  Ｆｅｅｄｅｒ）、リニアセンサのような画像読取センサ等を含むイメージスキャナを備え、原稿を走査（スキャン）することによって該原稿の画像を読み取り、画像データを取得する。
【００２０】
前記スキャナ制御部１２は、スキャナ部１１を制御する機能部であり、原稿載置台や自動原稿送り装置に原稿が置かれたときに、スキャナ部１１が備える読取機構を駆動させ、イメージスキャナが連続的に出力する読取画像のデータを取得する機能を有する。
【００２１】
前記パネル部１３は、第１の画像処理装置１０と利用者との間のインターフェイスであり、図３に示されるように、第１の画像処理装置１０の現在の設定情報等を表示する画面部３１を備える。また、前記パネル部１３は、利用者が第１の画像処理装置１０が備える各種の機能乃至動作を実行させるために押下するスタートボタン３２と、実行中の機能乃至動作を停止するために押下するストップボタン３３とを備える。なお、前記パネル部１３は、利用者への出力を行うとともに、利用者からの入力を受け付けられるものであれば、いかなる種類のものであってもよい。そして、前記画面部３１は、表示装置及び入力装置として機能するタッチパネルであって、各種の情報のみならず各種の入力ボタン乃至入力キーを押下可能に表示するものであることが望ましい。
【００２２】
前記パネル制御部１４は、パネル部１３を制御する機能部であり、操作手段としてのスタートボタン３２及びストップボタン３３を押下する操作や、タッチパネルである画面部３１に表示された操作手段としての入力ボタン乃至入力キーを押下する操作を検知したり、画面部３１に情報を表示させる。また、前記パネル制御部１４は、画面部３１に表示させる情報を取得するために、パネル構成ファイル２３と接続され、画面部３１に表示させる相手先情報を取得するために、アドレス帳２４と接続され、さらに、利用者の好みの装置設定を保存したり、保存した設定を読み出したりするために、設定マクロファイル２５と接続されている。さらに、前記パネル制御部１４は、利用者によるパネル部１３に表示された操作手段の操作に応じて、第１の画像処理装置１０に原稿読取動作や、ファクシミリ動作を行わせるために、スキャナ制御部１２及びファックス制御部１５と接続されている。
【００２３】
前記ファックス送信部１６は、ＮＣＵ（Ｎｅｔｗｏｒｋ  Ｃｏｎｔｒｏｌ  Ｕｎｉｔ：網制御部）、ファクシミリモデム等を備え、前記通信回線網を通じて、ファクシミリ送信、ファクシミリ受信等のファクシミリ通信を行う。
【００２４】
前記ファックス制御部１５は、スキャナ部１１が取得した原稿の読取画像のデータを取得し、利用者が設定した相手先のファクシミリ番号に前記データをファクシミリで送信する。
【００２５】
前記記録部１７は、不揮発性のメモリであり、装置情報ファイル２６、パネル構成ファイル２３、アドレス帳２４及び設定マクロファイル２５を保存する。
【００２６】
前記装置情報ファイル２６は、第１の画像処理装置１０のモデル名、第１の画像処理装置１０に内蔵されているプログラムの版数等の情報を含んでいる。また、前記パネル構成ファイル２３は、パネル部１３に表示される各画面の文字列、レイアウト情報等を含んでいる。
【００２７】
さらに、前記アドレス帳２４は、図４に示されるように、利用者が第１の画像処理装置１０に登録したファクシミリ通信を行う相手先の情報、すなわち、相手先情報を含んでいる。図４において、行３４は、相手先の登録名が「本社」、相手先のファクシミリ番号、すなわち、ファックス番号が「０３−０１２３−４５６７」であることを示している。また、行３５は、登録名が「Ａ営業所」、ファックス番号が「０３−０２３４−５６７８」であることを示している。さらに、行３６は、登録名が「群馬支店」、ファックス番号が「０２７−９９９−８８８８」であることを示している。
【００２８】
なお、前記設定マクロファイル２５は、利用者が複数の設定を一つにまとめた設定情報を含んでいる。
【００２９】
前記装置構成ファイル作成部１８は、パネル部１３に表示される操作画面を構成するための情報であるパネル構成情報と第１の画像処理装置１０の装置情報とを含む装置構成ファイルを作成して携帯端末装置６０に送信させる。装置構成ファイル作成部１８は、第１の画像処理装置１０の装置情報を作成するために参照する装置情報ファイル２６、パネル構成ファイル２３、アドレス帳２４及び設定マクロファイル２５と接続されている。
【００３０】
前記近距離無線通信部２１は、ＮＦＣ等の近距離無線通信によって、携帯端末装置６０と通信する。
【００３１】
前記コマンド解析部２２は、近距離無線通信部２１が携帯端末装置６０から受信したコマンドを解析する。そして、携帯端末装置６０から受信したコマンドが装置構成取得コマンドであると判断された場合、装置構成ファイル作成部１８が起動される。
【００３２】
次に、前記パネル部１３の画面部３１に表示される操作画面としてのファクシミリ送信用画面の表示例について詳細に説明する。
【００３３】
図５は本発明の実施の形態における第１の画像処理装置のパネル部の画面部に表示されるファクシミリ送信用画面を示す図、図６は本発明の実施の形態における第１の画像処理装置のパネル部の画面部に表示される相手先選択画面を示す図である。
【００３４】
図５において、４１は、操作手段としての設定マクロボタンであり、設定マクロファイル２５に保存されている情報を表示させるボタンである。また、４２は、ファクシミリを送信する相手先を表示するテキスト表示領域である。さらに、４３は、操作手段としてのアドレス帳ボタンであり、アドレス帳２４に保存されているファクシミリを送信する相手先の情報としての相手先情報を表示させるボタンである。
【００３５】
そして、利用者がアドレス帳ボタン４３を押下すると、画面部３１には、図６に示されるような相手先選択画面が表示される。該相手先選択画面において、行４４は、登録名が「本社」、ファックス番号が「０３−０１２３−４５６７」であることを示し、本相手先を選択するときに押下する操作手段としての「選択」ボタンを含んでいる。また、行４５は、登録名が「Ａ営業所」、ファックス番号が「０３−０２３４−５６７８」であることを示し、本相手先を選択するときに押下する操作手段としての「選択」ボタンを含んでいる。さらに、行４６は、登録名が「群馬支店」、ファックス番号が「０２７−９９９−８８８８」であることを示し、本相手先を選択するときに押下する操作手段としての「選択」ボタンを含んでいる。
【００３６】
また、画面部３１に表示されるファクシミリ送信用画面には、図５に示されるように、操作手段としてのリダイヤルボタン４７、スキャンボタン５１、解像度ボタン５２、ワンタッチボタン５３〜５８及び番号入力ボタン５９が更に含まれている。
【００３７】
前記リダイヤルボタン４７は、直前にファクシミリを送信した相手先にもう一度ファクシミリを送信するボタンである。また、前記スキャンボタン５１は、原稿の読込方法として、片面読込か両面読込かを選択する画面を表示するボタンである。さらに、前記解像度ボタン５２は、原稿を読み込むときの解像度を設定する画面を表示するボタンである。
【００３８】
前記ワンタッチボタン５３〜５８は、アドレス帳ボタン４３を操作してアドレス帳２４に保存されている相手先情報を表示させなくても、登録名及びファックス番号が設定されているボタンである。例えば、ワンタッチボタン５３は、登録名が「本社」でファックス番号が「０３−０１２３−４５６７」の宛（あて）先が設定されるボタンである。また、例えば、ワンタッチボタン５４は、アドレス帳２４を開かなくてもワンタッチボタン５４に登録されている登録名が「Ａ営業所」でファックス番号が「０３−０２３４−５６７８」の宛先が設定されるボタンである。なお、ワンタッチボタン５５〜５８は、「空き」であるから、相手先が登録されていないことを意味する。
【００３９】
次に、前記携帯端末装置６０の構成について詳細に説明する。
【００４０】
図７は本発明の実施の形態における携帯端末装置の機能構成を示すブロック図、図８は本発明の実施の形態における携帯端末装置のコマンド構成ファイル群のデータ構成を示す図、図９は本発明の実施の形態における携帯端末装置のアドレス帳のデータ構成を示す図である。
【００４１】
携帯端末装置６０は、機能の観点から、図７に示されるように、操作表示パネルとしての表示部６１、パネル制御部としての装置パネル制御部６２、第１の画像処理装置１０や第２の画像処理装置９０に対するコマンドを作成するコマンド作成部６３、コマンド解析部６４、近距離無線通信部６５、コマンド構成取得部６６、及び、第１の画像処理装置１０のパネル部１３に表示される操作画面を構成するための情報であるパネル構成情報を保存する記録部６７を有する。
【００４２】
前記表示部６１は、携帯端末装置６０と利用者との間のインターフェイスであり、具体的には、タッチパネル等のように表示装置及び入力装置として機能するものであって、利用者への出力を行うとともに利用者からの入力を受け付けられるものであれば、いかなる種類のものであってもよい。
【００４３】
前記装置パネル制御部６２は、表示部６１を制御する機能部であり、表示部６１に表示された操作手段としての各種の入力ボタン乃至入力キーを押下する操作を検知したり、表示部６１に情報を表示させる。また、前記装置パネル制御部６２は、第１の画像処理装置１０のパネル部１３に表示される各種の情報を表示部６１に表示させるために、記録部６７が備えるアドレス帳７１、パネル構成ファイル７２、装置アドレス帳７３及び設定マクロファイル７４に接続されている。
【００４４】
前記コマンド作成部６３は、装置パネル制御部６２の指示に基づき、第１の画像処理装置１０に送信する装置情報取得コマンドや、第２の画像処理装置９０に送信する装置情報取得コマンド及び機能実行コマンドを作成し、近距離無線通信部６５に各種コマンドの送信を指示する。また、前記コマンド作成部６３は、第１の画像処理装置１０や第２の画像処理装置９０のような画像処理装置の機種（モデル）に応じてコマンド構成を変えるため、コマンド構成取得部６６より、コマンド構成を取得する。
【００４５】
前記コマンド解析部６４は、近距離無線通信部６５が受信した第１の画像処理装置１０や第２の画像処理装置９０からのレスポンスを取得し、コマンドを解析し、その結果を、記録部６７が備える実行装置情報ファイル７５、パネル構成ファイル７２、装置アドレス帳７３及び設定マクロファイル７４に保存する。
【００４６】
前記近距離無線通信部６５は、ＮＦＣ等の近距離無線通信によって、第１の画像処理装置１０及び第２の画像処理装置９０と通信する。
【００４７】
前記コマンド構成取得部６６は、第１の画像処理装置１０や第２の画像処理装置９０のようなコマンドの送信先の画像処理装置の機種を判別し、送信するコマンドの構成を決定する。また、コマンド構成取得部６６は、コマンドの送信先の画像処理装置の機種を取得するために、記録部６７が備える実行装置情報ファイル７５に接続され、前記画像処理装置の機種に応じたコマンド構成を取得するために、記録部６７が備えるコマンド構成ファイル群７６に接続されている。
【００４８】
該コマンド構成ファイル群７６は、図８に示されるようなデータ構成を有する。図８において、行８１は、コマンド種類が「装置情報取得」、機種が「第１の画像処理装置１０（ＭＦＰ１）及び第２の画像処理装置９０（ＭＦＰ３）」である場合、コマンドは「〈Ｅｘｅｃｕｔｅ〉」であることを示している。また、行８３は、コマンド種類が「ジョブ実行」、機種が「第１の画像処理装置１０（ＭＦＰ１）」である場合、コマンドは「〈Ｅｘｅｃｕｔｅ〉」であることを示している。さらに、行８４は、コマンド種類が「ジョブ実行」、機種が「第２の画像処理装置９０（ＭＦＰ３）」である場合、コマンドは「〈Ｊｏｂ〉」であることを示している。
【００４９】
また、前記実行装置情報ファイル７５は、制御する画像処理装置の装置情報を含んでいる。
【００５０】
さらに、前記アドレス帳７１は、図９に示されるように、利用者が携帯端末装置６０に登録したファクシミリ通信を行う相手先の情報、すなわち、相手先情報を含んでいる。図９において、行８５は、相手先の登録名が「Ｘ書店」、相手先のファクシミリ番号、すなわち、ファックス番号が「０３−８８８８−９９９９」であることを示している。また、行８６は、登録名が「Ｙ事務所」、ファックス番号が「０３−７７７７−６６６６」であることを示している。
【００５１】
また、前記パネル構成ファイル７２は、第１の画像処理装置１０から取得した情報であって第１の画像処理装置１０のパネル構成ファイル２３の情報を保存する。さらに、前記装置アドレス帳７３は、第１の画像処理装置１０から取得した情報であって第１の画像処理装置１０のアドレス帳２４の情報を保存する。さらに、前記設定マクロファイル７４は、第１の画像処理装置１０から取得した情報であって第１の画像処理装置１０の設定マクロファイル２５の情報を保存する。
【００５２】
このように、本実施の形態における携帯端末装置６０は、第１の画像処理装置１０及び第２の画像処理装置９０と通信可能である。そして、携帯端末装置６０は、操作手段を含む操作画面を表示する表示部６１と、表示部６１を制御する装置パネル制御部６２と、第１の画像処理装置１０のパネル部１３に表示される操作画面を構成するための情報であるパネル構成情報を保存する記録部６７と、第２の画像処理装置９０に対するコマンドを作成するコマンド作成部６３とを備え、装置パネル制御部６２は、パネル構成情報に基づいて、第２の画像処理装置９０を操作するための操作手段を含む操作画面を、第１の画像処理装置１０のパネル部１３に表示される操作画面の表示形態と同様の表示形態で、表示部６１に表示させる。
【００５３】
また、パネル構成情報は、第１の画像処理装置１０の装置情報とともに、あらかじめ第１の画像処理装置１０から受信され、記録部６７に保存される。
【００５４】
さらに、第２の画像処理装置９０を操作するための操作手段によって所定の動作を実行させる操作が行われると、コマンド作成部６３は、第２の画像処理装置９０の装置情報を取得するための装置情報取得コマンドを作成して第２の画像処理装置９０に送信させ、該第２の画像処理装置９０の装置情報を取得すると、この装置情報に応じて所定の動作を実行させるためのジョブ実行コマンドを作成して第２の画像処理装置９０に送信させ、該第２の画像処理装置９０に所定の動作を実行させる。
【００５５】
したがって、利用者は、第１の画像処理装置１０の操作方法さえ習得していれば、第２の画像処理装置９０の操作方法を習得しなくても、携帯端末装置６０の表示部６１に表示される操作画面の操作手段を、第１の画像処理装置１０の場合と同様に操作することによって、第２の画像処理装置９０を適確に操作することができる。
【００５６】
次に、前記第２の画像処理装置９０の構成について詳細に説明する。
【００５７】
図１０は本発明の実施の形態における第２の画像処理装置の機能構成を示すブロック図、図１１は本発明の実施の形態における第２の画像処理装置のパネル部の構成を示す図、図１２は本発明の実施の形態における第２の画像処理装置のパネル部の画面部に表示されるファクシミリ送信用画面の表示例を示す図である。
【００５８】
第２の画像処理装置９０は、機能の観点から、図１０に示されるように、画像読取装置としてのスキャナ部９１、スキャナ制御部９２、操作表示パネルとしてのパネル部９３、パネル制御部９４、ファックス制御部９５、ファックス送信部９６、記録部９７、装置情報送信部９８、近距離無線通信部１０１及びコマンド解析部１０２を有する。
【００５９】
前記スキャナ部９１は、原稿画像の読取機能を有し、図示されない原稿載置台、自動原稿送り装置、リニアセンサのような画像読取センサ等を含むイメージスキャナを備え、原稿を走査することによって該原稿の画像を読み取り、画像データを取得する。
【００６０】
前記スキャナ制御部９２は、スキャナ部９１を制御する機能部であり、原稿載置台や自動原稿送り装置に原稿が置かれたときに、スキャナ部９１が備える読取機構を駆動させ、イメージスキャナが連続的に出力する読取画像のデータを取得する機能を有する。
【００６１】
前記パネル部９３は、第２の画像処理装置９０と利用者との間のインターフェイスであり、図１１に示されるように、第２の画像処理装置９０の現在の設定情報等を表示する画面部１０４を備える。また、前記パネル部９３は、利用者が第２の画像処理装置９０が備える各種の機能乃至動作を実行させるために押下するスタートボタン１０５と、実行中の機能乃至動作を停止するために押下するストップボタン１０６とを備える。さらに、前記パネル部９３は、画面部１０４に表示された画面において、カーソルの移動や確定を操作するためのボタン１０７を備える。なお、前記パネル部９３は、利用者への出力を行うとともに、利用者からの入力を受け付けられるものであればよい。そして、前記画面部１０４は、表示装置及び入力装置として機能するタッチパネルであって、各種の情報のみならず各種の入力ボタン乃至入力キーを押下可能に表示するものであることが望ましい。
【００６２】
前記パネル制御部９４は、パネル部９３を制御する機能部であり、操作手段としてのスタートボタン１０５、ストップボタン１０６及びボタン１０７を押下する操作や、タッチパネルである画面部１０４に表示された操作手段としての入力ボタン乃至入力キーを押下する操作を検知したり、画面部１０４に情報を表示させたりする。また、前記パネル制御部９４は、利用者によるパネル部９３に表示された操作手段の操作に応じて、第２の画像処理装置９０にファクシミリ動作を行わせるために、ファックス制御部９５と接続されている。
【００６３】
前記ファックス送信部９６は、ＮＣＵ、ファクシミリモデム等を備え、前記通信回線網を通じて、ファクシミリ送信、ファクシミリ受信等のファクシミリ通信を行う。
【００６４】
前記ファックス制御部９５は、スキャナ部９１が取得した原稿の読取画像のデータを取得し、利用者が設定した相手先のファクシミリ番号に前記データをファクシミリで送信する。
【００６５】
前記記録部９７は、不揮発性のメモリであり、装置情報ファイル１０３を保存する。該装置情報ファイル１０３は、第２の画像処理装置９０のモデル名、第２の画像処理装置９０に内蔵されているプログラムの版数等の情報を含んでいる。
【００６６】
前記装置情報送信部９８は、携帯端末装置６０に送信する第２の画像処理装置９０の装置情報を作成し、近距離無線通信部１０１に送信する。該近距離無線通信部１０１は、ＮＦＣ等の近距離無線通信によって、携帯端末装置６０と通信する。
【００６７】
前記コマンド解析部１０２は、近距離無線通信部１０１が携帯端末装置６０から受信したコマンドを解析する。そして、携帯端末装置６０から受信したコマンドが装置構成取得コマンドであると判断された場合、装置情報送信部９８が起動され、ジョブ実行コマンドとしての機能実行コマンドであると判断された場合、スキャナ制御部９２やファックス送信部９６が起動される。
【００６８】
なお、前記スキャナ制御部９２やファックス送信部９６が起動されると、パネル部９３の画面部１０４には、図１２に示されるようなファクシミリ送信用画面が表示される。該ファクシミリ送信用画面には、相手先を選択する手段を選択する画面を表示するボタンである宛先選択ボタン１１１、及び、スキャナ部９１による原稿の読込方法や解像度を選択する画面を表示するボタンである応用機能ボタン１１２が含まれている。
【００６９】
このように、本実施の形態における第２の画像処理装置９０は、携帯端末装置６０から受信したコマンドを解析するコマンド解析部１０２を備え、該コマンド解析部１０２が携帯端末装置６０から受信したジョブ実行コマンド（機能実行コマンド）を解析した結果に応じて、所定の動作（例えば、ファクシミリの送信等の動作）を実行する。
【００７０】
次に、前記構成の第１の画像処理装置１０の動作について説明する。ここでは、携帯端末装置６０に送信するための情報を結合したファイルである装置構成ファイルを作成する動作について説明する。
【００７１】
図１３は本発明の実施の形態における第１の画像処理装置の装置構成ファイルの例を示す図、図１４は本発明の実施の形態における第１の画像処理装置の動作を示すフローチャートである。
【００７２】
まず、ステップＳ１で、第１の画像処理装置１０は、装置情報ファイル２６を取得し、コマンドフォーマットに変更する。具体的には、装置構成ファイル作成部１８は、装置情報ファイル２６に含まれる情報を取得し、該情報を携帯端末装置６０に送信するためのコマンド形式に変更する。
【００７３】
続いて、ステップＳ２で、第１の画像処理装置１０は、パネル構成ファイル２３を取得し、コマンドフォーマットに変更する。具体的には、装置構成ファイル作成部１８は、パネル構成ファイル２３に含まれる情報を取得し、該情報を携帯端末装置６０に送信するためのコマンド形式に変更する。
【００７４】
続いて、ステップＳ３で、第１の画像処理装置１０は、アドレス帳２４を取得し、コマンドフォーマットに変更する。具体的には、装置構成ファイル作成部１８は、アドレス帳２４に含まれる情報を取得し、該情報を携帯端末装置６０に送信するためのコマンド形式に変更する。
【００７５】
続いて、ステップＳ４で、第１の画像処理装置１０は、設定マクロファイル２５を取得し、コマンドフォーマットに変更する。具体的には、装置構成ファイル作成部１８は、設定マクロファイル２５に含まれる情報を取得し、該情報を携帯端末装置６０に送信するためのコマンド形式に変更する。
【００７６】
最後に、ステップＳ５で、第１の画像処理装置１０は、装置情報ファイル２６、パネル構成ファイル２３、アドレス帳２４及び設定マクロファイル２５のコマンドフォーマットを結合し、ＮＦＣ制御部に送信を指示して、処理を終了する。具体的には、装置構成ファイル作成部１８は、ステップＳ１〜Ｓ４でコマンド形式に変更された装置情報ファイル２６、パネル構成ファイル２３、アドレス帳２４及び設定マクロファイル２５に含まれる情報を結合して、図１３に示されるような装置構成ファイルを携帯端末装置６０に送信するレスポンスとして作成し、該レスポンスを近距離無線通信部２１に指示する。これにより、処理が終了される。
【００７７】
図１３に示される装置構成ファイルの例において、１１３は、ステップＳ１でコマンド形式に変更された装置情報ファイル２６に含まれる情報を示している。該情報のコマンド形式は、〈Ｃｏｎｆｉｇｕｒａｔｉｏｎ〉タグで囲まれ、モデル名が“ＭＦＰ１”であり、第１の画像処理装置１０に内蔵されているプログラムの版（バージョン）が“０１．００”であることを意味する。
【００７８】
また、１１４は、ステップＳ２でコマンド形式に変更されたパネル構成ファイル２３に含まれる情報を示している。該情報のコマンド形式は、〈ＰａｎｅｌＬａｙｏｕｔ〉タグで囲まれ、ホーム画面に配置するボタンは、〈Ｈｏｍｅ〉タグで囲まれ、“コピー”、“ファクス”、“スキャン”、“プリント”があることを意味し、ファックス画面は、〈Ｆｕｎｃｔｉｏｎ  ｉｄ＝“Ｆａｘ”  ｎａｍｅ＝“ファクス”〉タグで囲まれ、ファックス画面の共通部は、〈Ｃｏｍｍｏｎ〉タグで囲まれ、“スタート”ボタンと“ストップ”ボタンがあることを意味し、ヘッダ部は、〈Ｈｅａｄｅｒ〉タグで囲まれ、“設定マクロ”があることを意味し、ボディ部は、〈Ｂｏｄｙ〉タグで囲まれ、“番号入力”、“アドレス帳”、“リダイヤル”、“スキャン”、“解像度”があることを意味し、ショートカットボタンは、〈Ｓｈｏｒｔｃｕｔ〉タグで囲まれ、“本社”、“Ａ営業所”があることを意味し、宛先選択画面であるアドレス帳は、〈ＳｕｂＦｕｎｃｔｉｏｎ〉タグで囲まれ、最大５行の選択形式の構成であることを意味する。
【００７９】
さらに、１１５は、ステップＳ３でコマンド形式に変更されたアドレス帳２４に含まれる情報を示している。該情報のコマンド形式は、〈ＡｄｄｒｅｓｓＬｉｓｔ〉タグで囲まれ、“本社”、“Ａ営業所”、“群馬支店”があることを意味する。
【００８０】
最後に、１１６は、ステップＳ４でコマンド形式に変更された設定マクロファイル２５に含まれる情報を示している。該情報のコマンド形式は、〈ＭａｃｒｏＬｉｓｔ〉タグで囲まれ、“月次報告”という設定マクロが存在することを意味する。
【００８１】
次に、フローチャートについて説明する。
ステップＳ１  装置情報ファイル２６を取得し、コマンドフォーマットに変更する。
ステップＳ２  パネル構成ファイル２３を取得し、コマンドフォーマットに変更する。
ステップＳ３  アドレス帳２４を取得し、コマンドフォーマットに変更する。
ステップＳ４  設定マクロファイル２５を取得し、コマンドフォーマットに変更する。
ステップＳ５  装置情報ファイル２６、パネル構成ファイル２３、アドレス帳２４及び設定マクロファイル２５のコマンドフォーマットを結合し、ＮＦＣ制御部に送信を指示して、処理を終了する。
【００８２】
次に、前記構成の携帯端末装置６０の動作について説明する。ここでは、利用者が携帯端末装置６０を操作して、第２の画像処理装置９０にファクシミリの送信を行わせる動作について説明する。
【００８３】
図１５は本発明の実施の形態における携帯端末装置の表示部に表示されたホーム画面の例を示す図、図１６は本発明の実施の形態における携帯端末装置の表示部に表示されたファクシミリ送信用画面の例を示す図、図１７は本発明の実施の形態における携帯端末装置の表示部に表示された相手先選択画面の例を示す図、図１８は本発明の実施の形態における携帯端末装置の動作を示す第１のフローチャートである。
【００８４】
まず、ステップＳ１１で、携帯端末装置６０は、パネル構成ファイル７２を取得する。具体的には、装置パネル制御部６２は、パネル構成ファイル７２に含まれる情報を取得する。
【００８５】
続いて、ステップＳ１２で、携帯端末装置６０は、ホーム画面を表示する。具体的には、装置パネル制御部６２は、パネル構成ファイル７２に含まれる情報のうちから初期状態画面としてのホーム画面の画面構成を取得し、図１５に示されるようなホーム画面を表示部６１に表示させる。前記ホーム画面には、操作手段としての「閉じる」ボタン１２２、「コピー」動作選択ボタン１２３、「ファックス」動作選択ボタン１２４、「スキャン」動作選択ボタン１２５及び「プリント」動作選択ボタン１２６が押下可能に表示されている。
【００８６】
ここで、「閉じる」ボタン１２２は、ホーム画面を閉じて終了させるボタンであり、「コピー」動作選択ボタン１２３は、第２の画像処理装置９０に複写機（コピー機）としての動作を行わせるボタンであり、「ファックス」動作選択ボタン１２４は、第２の画像処理装置９０にファクシミリ機としての動作を行わせるボタンであり、「スキャン」動作選択ボタン１２５は、第２の画像処理装置９０に原稿画像の読取動作を行わせるボタンであり、「プリント」動作選択ボタン１２６は、第２の画像処理装置９０にプリンタとしての動作を行わせるボタンである。
【００８７】
なお、前記ホーム画面の画面構成乃至表示態様は、第１の画像処理装置１０のパネル部１３における初期状態画面としてのホーム画面の画面構成乃至表示形態と同様乃至似ていることが望ましい。
【００８８】
続いて、ステップＳ１３で、携帯端末装置６０は、利用者操作待ちとなる。具体的には、装置パネル制御部６２は、表示部６１に表示させたホーム画面に利用者が操作を入力するまで待機する。
【００８９】
続いて、ステップＳ１４で、携帯端末装置６０は、利用者操作を判断する。具体的には、装置パネル制御部６２は、表示部６１に表示させたホーム画面に利用者が入力した操作が何であるかを判断する。つまり、「閉じる」ボタン１２２、「コピー」動作選択ボタン１２３、「ファックス」動作選択ボタン１２４、「スキャン」動作選択ボタン１２５又は「プリント」動作選択ボタン１２６のいずれの押下が行われたかを判断する。
【００９０】
なお、ここでは、「コピー」動作選択ボタン１２３、「スキャン」動作選択ボタン１２５及び「プリント」動作選択ボタン１２６の押下が行われた場合の説明は省略し、「ファックス」動作選択ボタン１２４及び「閉じる」ボタン１２２の押下が行われた場合の動作についてのみ説明する。
【００９１】
そして、利用者によって「ファックス」動作選択ボタン１２４の押下が行われた場合、携帯端末装置６０は、“ファックス起動”と判断してステップＳ１５に移行し、ファックス画面を表示する。具体的には、装置パネル制御部６２は、表示部６１に表示されている「ファックス」動作選択ボタン１２４の押下が行われたことを検知すると、第２の画像処理装置９０にファクシミリ動作を行わせることが利用者によって選択された、と判断し、第２の画像処理装置９０を操作するための操作手段を含む操作画面として、図１６に示されるようなファクシミリ送信用画面を表示部６１に表示させる。
【００９２】
なお、前記ファクシミリ送信用画面の画面構成乃至表示態様は、図５に示されるような第１の画像処理装置１０のパネル部１３に表示されるファクシミリ送信用画面の画面構成乃至表示形態と同様乃至似ていることが望ましい。
【００９３】
図１６において、２３１は、操作手段としての設定マクロボタンであり、設定マクロファイル７４に保存されている情報を表示させるボタンである。また、２３２は、ファクシミリを送信する相手先を表示するテキスト表示領域である。さらに、２３３は、操作手段としてのアドレス帳ボタンであり、アドレス帳７１及び装置アドレス帳７３に保存されているファクシミリを送信する相手先の情報としての相手先情報を表示させるボタンである。
【００９４】
また、表示部６１に表示されるファクシミリ送信用画面には、図１６に示されるように、操作手段としてのリダイヤルボタン２３４、スキャンボタン２３５、解像度ボタン２１６、ワンタッチボタン２３８〜２４３、番号入力ボタン２３７、スタートボタン２４５及びストップボタン２４４が更に含まれている。
【００９５】
前記リダイヤルボタン２３４は、直前にファクシミリを送信した相手先にもう一度ファクシミリを送信するボタンである。また、前記スキャンボタン２３５は、原稿の読込方法として、片面読込か両面読込かを選択する画面を表示するボタンである。さらに、前記解像度ボタン２１６は、原稿を読み込むときの解像度を設定する画面を表示するボタンである。
【００９６】
前記ワンタッチボタン２３８〜２４３は、アドレス帳ボタン２３３を操作してアドレス帳７１及び装置アドレス帳７３に保存されている相手先情報を表示させなくても、登録名及びファックス番号が設定されているボタンである。例えば、ワンタッチボタン２３８は、登録名が「本社」でファックス番号が「０３−０１２３−４５６７」の宛先が設定されるボタンである。また、例えば、ワンタッチボタン２３９は、アドレス帳７１及び装置アドレス帳７３を開かなくてもワンタッチボタン２３９に登録されている登録名が「Ａ営業所」でファックス番号が「０３−０２３４−５６７８」の宛先が設定されるボタンである。なお、ワンタッチボタン２４０〜２４３は、「空き」であるから、相手先が登録されていないことを意味する。
【００９７】
さらに、前記スタートボタン２４５は、第２の画像処理装置９０にファクシミリの送信を行わせるボタンであり、前記ストップボタン２４４は、第２の画像処理装置９０にファクシミリの送信を中止させるボタンである。
【００９８】
そして、携帯端末装置６０は、ファックス画面を表示すると、ステップＳ１３に戻り、再び、利用者操作待ちとなる。具体的には、装置パネル制御部６２は、表示部６１に表示させたファクシミリ送信用画面に利用者が操作を入力するまで待機する。
【００９９】
続いて、ステップＳ１４で、携帯端末装置６０は、利用者操作を判断する。具体的には、装置パネル制御部６２は、表示部６１に表示させたファクシミリ送信用画面に利用者が入力した操作が何であるかを判断する。
【０１００】
ここでは、利用者によってアドレス帳ボタン２３３の押下が行われた場合について説明する。
【０１０１】
そして、利用者によってアドレス帳ボタン２３３の押下が行われた場合、携帯端末装置６０は、“アドレス帳起動”と判断してステップＳ１６に移行し、アドレス帳７１を取得する。具体的には、装置パネル制御部６２は、アドレス帳７１に保存されている相手先情報であって、利用者が携帯端末装置６０に登録したファクシミリを送信する相手先の情報を取得する。
【０１０２】
続いて、ステップＳ１７で、携帯端末装置６０は、装置アドレス帳７３を取得する。具体的には、装置パネル制御部６２は、装置アドレス帳７３に保存されている相手先情報であって、第１の画像処理装置１０のアドレス帳２４に登録したファクシミリを送信する相手先の情報を取得する。
【０１０３】
続いて、ステップＳ１８で、携帯端末装置６０は、アドレス帳画面を表示する。具体的には、装置パネル制御部６２は、図１７に示されるような相手先選択画面を、アドレス帳画面として、表示部６１に表示させる。
【０１０４】
図１７において、行２５１は、装置アドレス帳７３に保存されている相手先情報であって、登録名が「本社」、ファックス番号が「０３−０１２３−４５６７」であることを示し、本相手先を選択するときに押下する「選択」ボタンを含んでいる。また、行２５２は、装置アドレス帳７３に保存されている相手先情報であって、登録名が「Ａ営業所」、ファックス番号が「０３−０２３４−５６７８」であることを示し、本相手先を選択するときに押下する「選択」ボタンを含んでいる。さらに、行２５３は、装置アドレス帳７３に保存されている相手先情報であって、登録名が「群馬支店」、ファックス番号が「０２７−９９９−８８８８」であることを示し、本相手先を選択するときに押下する「選択」ボタンを含んでいる。
【０１０５】
また、行２５４は、アドレス帳７１に保存されている相手先情報であって、登録名が「Ｘ書店」、ファックス番号が「０３−８８８８−７７７７」であることを示し、本相手先を選択するときに押下する「選択」ボタンを含んでいる。さらに、行２５５は、アドレス帳７１に保存されている相手先情報であって、登録名が「Ｙ事務所」、ファックス番号が「０３−７７７７−６６６６」であることを示し、本相手先を選択するときに押下する「選択」ボタンを含んでいる。
【０１０６】
そして、携帯端末装置６０は、アドレス帳画面を表示すると、ステップＳ１３に戻り、再び、利用者操作待ちとなる。具体的には、装置パネル制御部６２は、表示部６１に表示させた相手先選択画面に利用者が操作を入力するまで待機する。
【０１０７】
続いて、ステップＳ１４で、携帯端末装置６０は、利用者操作を判断する。具体的には、装置パネル制御部６２は、表示部６１に表示させた相手先選択画面に利用者が入力した操作が何であるかを判断する。
【０１０８】
ここでは、利用者によって行２５１〜２５５のいずれかに含まれる「選択」ボタンの押下が行われた場合について説明する。
【０１０９】
そして、利用者によっていずれかの「選択」ボタンの押下が行われた場合、携帯端末装置６０は、“アドレス選択”と判断してステップＳ１９に移行し、ファックス画面を表示する。具体的には、装置パネル制御部６２は、表示部６１に、図１６に示されるようなファクシミリ送信用画面を表示部６１に再び表示させる。
【０１１０】
続いて、ステップＳ２０で、携帯端末装置６０は、宛先を表示する。具体的には、装置パネル制御部６２は、ファクシミリ送信用画面におけるテキスト表示領域２３２に、押下が行われた「選択」ボタンに対応する相手先情報の登録名を、宛先として表示させる。
【０１１１】
そして、携帯端末装置６０は、宛先を表示すると、ステップＳ１３に戻り、再び、利用者操作待ちとなる。具体的には、装置パネル制御部６２は、表示部６１に表示させたファクシミリ送信用画面であってテキスト表示領域２３２にファクシミリを送信する相手先の登録名が表示されたファクシミリ送信用画面に利用者が操作を入力するまで待機する。
【０１１２】
続いて、ステップＳ１４で、携帯端末装置６０は、利用者操作を判断する。具体的には、装置パネル制御部６２は、表示部６１に表示させたファクシミリ送信用画面であってテキスト表示領域２３２にファクシミリを送信する相手先の登録名が表示されたファクシミリ送信用画面に利用者が入力した操作が何であるかを判断する。
【０１１３】
ここでは、利用者によってスタートボタン２４５の押下が行われた場合について説明する。
【０１１４】
そして、利用者によってスタートボタン２４５の押下が行われた場合、携帯端末装置６０は、“ファックス実行”と判断してステップＳ２１に移行し、装置情報を取得するためのコマンド作成部６３を実行する。具体的には、装置パネル制御部６２は、コマンド作成部６３に対して指示を出し、図８に示されるように、コマンド種類を、ファックスを実行する装置、すなわち、ファクシミリの送信を行う装置である第２の画像処理装置９０の装置情報を取得するための「装置情報取得」に設定させて装置情報取得コマンドを作成させ、該装置情報取得コマンドを、近距離無線通信部６５を介して、第２の画像処理装置９０に送信させる。該第２の画像処理装置９０は、前記装置情報取得コマンドを受信すると、自身の装置情報を携帯端末装置６０に返信する。
【０１１５】
続いて、ステップＳ２２で、携帯端末装置６０は、ファックスを実行するためのコマンド作成部６３を実行する。具体的には、装置パネル制御部６２は、コマンド作成部６３に対して指示を出し、図８に示されるように、取得した第２の画像処理装置９０の装置情報に応じてコマンド種類を「ジョブ実行」に設定させ、ファクシミリの送信を行わせる機能実行コマンドを作成させ、該機能実行コマンドを、近距離無線通信部６５を介して、第２の画像処理装置９０に送信させる。該第２の画像処理装置９０は、前記機能実行コマンドを受信すると、ファクシミリ動作を行い、ファクシミリ送信用画面のテキスト表示領域２３２に登録名が表示された相手先に、ファクシミリを送信する。
【０１１６】
そして、携帯端末装置６０は、ファックスを実行するためのコマンド作成部６３を実行すると、ステップＳ１３に戻り、再び、利用者操作待ちとなる。具体的には、装置パネル制御部６２は、表示部６１に表示させたホーム画面に利用者が操作を入力するまで待機する。
【０１１７】
続いて、ステップＳ１４で、携帯端末装置６０は、利用者操作を判断する。具体的には、装置パネル制御部６２は、表示部６１に表示させたホーム画面に利用者が入力した操作が何であるかを判断する。
【０１１８】
そして、利用者によって「閉じる」ボタン１２２の押下が行われると、携帯端末装置６０は、“「閉じる」押下”と判断し、処理を終了する。具体的には、装置パネル制御部６２は、表示部６１に表示されている「閉じる」ボタン１２２の押下が行われたことを検知すると、第２の画像処理装置９０に動作を行わせる処理が利用者によって停止された、と判断し、処理を終了する。
【０１１９】
次に、フローチャートについて説明する。
ステップＳ１１  パネル構成ファイル７２を取得する。
ステップＳ１２  ホーム画面を表示する。
ステップＳ１３  利用者操作待ちとなる。
ステップＳ１４  利用者操作を判断する。「ファックス」動作選択ボタン１２４の押下が行われた場合は“ファックス起動”と判断してステップＳ１５に進み、アドレス帳ボタン２３３の押下が行われた場合は“アドレス帳起動”と判断してステップＳ１６に進み、いずれかの「選択」ボタンの押下が行われた場合は“アドレス選択”と判断してステップＳ１９に進み、スタートボタン２４５の押下が行われた場合は“ファックス実行”と判断してステップＳ２１に進み、「閉じる」ボタン１２２の押下が行われた場合は“「閉じる」押下”と判断し、処理を終了する。
ステップＳ１５  ファックス画面を表示し、ステップＳ１３に戻る。
ステップＳ１６  アドレス帳７１を取得する。
ステップＳ１７  装置アドレス帳７３を取得する。
ステップＳ１８  アドレス帳画面を表示し、ステップＳ１３に戻る。
ステップＳ１９  ファックス画面を表示する。
ステップＳ２０  宛先を表示し、ステップＳ１３に戻る。
ステップＳ２１  装置情報を取得するためのコマンド作成部６３を実行し、ステップＳ１３に戻る。
ステップＳ２２  ファックスを実行するためのコマンド作成部６３を実行し、ステップＳ１３に戻る。
【０１２０】
次に、前記構成の携帯端末装置６０のコマンド作成部６３の動作について説明する。
【０１２１】
図１９は本発明の実施の形態における携帯端末装置のコマンド作成部が作成するコマンド構成を示す図、図２０は本発明の実施の形態における携帯端末装置の動作を示す第２のフローチャートである。
【０１２２】
まず、ステップＳ３１で、コマンド作成部６３は、コマンド構成を取得する。具体的には、コマンド作成部６３は、コマンド構成取得部６６から、第２の画像処理装置９０の機種に応じたコマンド構成を取得する。
【０１２３】
続いて、ステップＳ３２で、コマンド作成部６３は、作成するコマンド種類を判断する。具体的には、コマンド作成部６３は、作成するコマンド種類が図８に示されるような「装置情報取得」であるか、又は、「ジョブ実行」であるかを判断する。そして、「装置情報取得」である場合にはステップＳ３３に移行し、「ジョブ実行」である場合にはステップＳ３５に移行する。
【０１２４】
作成するコマンド種類が「装置情報取得」である場合、ステップＳ３３で、コマンド作成部６３は、装置情報取得コマンドを作成する。具体的には、コマンド作成部６３は、ステップＳ３１でコマンド構成取得部６６から取得したコマンド構成に基づいて、第２の画像処理装置９０の装置情報を取得するためのコマンドとして、装置情報取得コマンドを作成する。
【０１２５】
続いて、ステップＳ３４で、コマンド作成部６３は、コマンドをＮＦＣ制御部に送付して、処理を終了する。具体的には、コマンド作成部６３は、ステップＳ３３で作成した装置情報取得コマンドを近距離無線通信部６５に送信し、該近距離無線通信部６５に前記装置情報取得コマンドを第２の画像処理装置９０に送信させて、処理を終了する。
【０１２６】
作成するコマンド種類が「ジョブ実行」である場合、ステップＳ３５で、コマンド作成部６３は、ジョブ実行コマンドを作成する。具体的には、コマンド作成部６３は、ステップＳ３１でコマンド構成取得部６６から取得したコマンド構成に基づいて、第２の画像処理装置９０の装置情報を取得するためのコマンドとして、図１９に示されるようなジョブ実行コマンドを作成する。
【０１２７】
図１９に示されるジョブ実行コマンドの例において、コマンド先頭タグ〈Ｊｏｂ〉は、第２の画像処理装置９０に対応するコマンドであることを意味する。２６１で示されるジョブ種別コマンドは、〈Ｆｕｎｃｔｉｏｎ  ｉｄ＝“Ｆａｘ”〉タグで囲まれ、実行機能がファクシミリであることを意味する。また、２６２で示されるファクシミリを実行するために必要な各項目の設定値は、〈ＰａｒａｍＬｉｓｔ〉タグで囲まれている。さらに、２６３で示されるファックス宛先は、〈ＤｅｓｔｉｎａｔｉｏｎＬｉｓｔ〉タグで囲まれている。
【０１２８】
続いて、ステップＳ３６で、コマンド作成部６３は、コマンドをＮＦＣ制御部に送付して、処理を終了する。具体的には、コマンド作成部６３は、ステップＳ３５で作成したジョブ実行コマンドを近距離無線通信部６５に送信し、該近距離無線通信部６５に前記ジョブ実行コマンドを第２の画像処理装置９０に送信させて、処理を終了する。
【０１２９】
次に、フローチャートについて説明する。
ステップＳ３１  コマンド構成を取得する。
ステップＳ３２  作成するコマンド種類を判断する。作成するコマンド種類が「装置情報取得」である場合はステップＳ３３に進み、作成するコマンド種類が「ジョブ実行」である場合はステップＳ３５に進む。
ステップＳ３３  装置情報取得コマンドを作成する。
ステップＳ３４  コマンドをＮＦＣ制御部に送付して、処理を終了する。
ステップＳ３５  ジョブ実行コマンドを作成する。
ステップＳ３６  コマンドをＮＦＣ制御部に送付して、処理を終了する。
【０１３０】
次に、前記構成の第２の画像処理装置９０の動作について説明する。
【０１３１】
図２１は本発明の実施の形態における第２の画像処理装置の動作を示すフローチャートである。
【０１３２】
まず、ステップＳ４１で、第２の画像処理装置９０は、コマンドを取得する。具体的には、コマンド解析部１０２は、携帯端末装置６０から送信されたコマンドを、近距離無線通信部１０１を介して、取得する。
【０１３３】
続いて、ステップＳ４２で、第２の画像処理装置９０は、コマンド種類を判断する。具体的には、コマンド解析部１０２は、ステップＳ４１で取得したコマンドのコマンド種類が「装置情報取得」であるか、又は、「ジョブ実行」、すなわち、「ファックス実行」であるかを判断する。そして、「装置情報取得」である場合にはステップＳ４３に移行し、「ファックス実行」である場合にはステップＳ４４に移行する。
【０１３４】
コマンド種類が「装置情報取得」である場合、ステップＳ４３で、第２の画像処理装置９０は、装置情報送信部９８を起動して、処理を終了する。具体的には、コマンド解析部１０２は、装置情報送信部９８を起動させて第２の画像処理装置９０の装置情報を作成させ、近距離無線通信部１０１を介して、前記装置情報を携帯端末装置６０に送信させて、処理を終了する。
【０１３５】
コマンド種類が「ファックス実行」である場合、ステップＳ４４で、第２の画像処理装置９０は、ファックス制御部９５を起動して、処理を終了する。具体的には、コマンド解析部１０２は、ファックス制御部９５を起動させ、ステップＳ４１で取得したコマンドに含まれる各項目の設定値及び相手先のファクシミリ番号に基づいてファクシミリを送信させて、処理を終了する。
【０１３６】
したがって、図１８のフローチャートに示される動作において、利用者によって携帯端末装置６０の表示部６１に表示されたスタートボタン２４５の押下が行われた場合、第２の画像処理装置９０は、ステップＳ４４の動作を行い、ファクシミリを送信する。
【０１３７】
次に、フローチャートについて説明する。
ステップＳ４１  コマンドを取得する。
ステップＳ４２  コマンド種類を判断する。コマンド種類が「装置情報取得」である場合はステップＳ４３に進み、コマンド種類が「ファックス実行」である場合はステップＳ４４に進む。
ステップＳ４３  装置情報送信部９８を起動して、処理を終了する。
ステップＳ４４  ファックス制御部９５を起動して、処理を終了する。
【０１３８】
このように、本実施の形態においては、第１の画像処理装置１０の操作に慣れている利用者が、携帯端末装置６０を使用し、該携帯端末装置６０の表示部６１に表示される画面であって、第１の画像処理装置１０のパネル部１３に表示される画面と似ている表示形態の画面を操作して、他の画像処理装置である第２の画像処理装置９０を操作することができる。したがって、利用者は複数の画像処理装置の操作方法を習得する必要がなく、利便性が向上する。
【０１３９】
なお、本実施の形態においては、複合機によるファクシミリの送信に適用した例を説明したが、電子メールの送信、印刷、コピー等の操作にも適用することができる。
【０１４０】
また、本発明は前記実施の形態に限定されるものではなく、本発明の趣旨に基づいて種々変形させることが可能であり、それらを本発明の範囲から排除するものではない。
【産業上の利用可能性】
【０１４１】
本発明は、携帯端末装置及び画像処理システムに利用することができる。
【符号の説明】
【０１４２】
１０    第１の画像処理装置
１３    パネル部
１８    装置構成ファイル作成部
２４、７１    アドレス帳
６０    携帯端末装置
６１    表示部
６２    装置パネル制御部
６３    コマンド作成部
６６    コマンド構成取得部
６７    記録部
９０    第２の画像処理装置
１０２    コマンド解析部
【図１】
2017073713.tif 000003
【図２】
2017073713.tif 000004
【図３】
2017073713.tif 000005
【図４】
2017073713.tif 000006
【図５】
2017073713.tif 000007
【図６】
2017073713.tif 000008
【図７】
2017073713.tif 000009
【図８】
2017073713.tif 000010
【図９】
2017073713.tif 000011
【図１０】
2017073713.tif 000012
【図１１】
2017073713.tif 000013
【図１２】
2017073713.tif 000014
【図１３】
2017073713.tif 000015
【図１４】
2017073713.tif 000016
【図１５】
2017073713.tif 000017
【図１６】
2017073713.tif 000018
【図１７】
2017073713.tif 000019
【図１８】
2017073713.tif 000020
【図１９】
2017073713.tif 000021
【図２０】
2017073713.tif 000022
【図２１】
2017073713.tif 000023